(57)【要約】【課題】熱板、或いは鍋などの調理機器の過熱防止装置に関する。【解決手段】熱板或いは汁受け皿を耐熱支持片に載置支持し、熱源の外方を遮熱板で覆うと共にその外方をケーシングで覆って遮熱板とケーシングの保護板とで冷却室を形成し、天板の開口の周縁に係止される天枠より延出された接続部を耐熱支持片の上部外側に、その上端が熱板より隔離され、冷却間隙を介在させて接合し、熱板或いは汁受け皿の周縁と天枠との間に形成された通気間隙と冷却間隙を連通させた。【効果】熱板或いは鍋、汁受け皿等の熱がその支持接触部分にて熱伝導することが抑制され、熱板や鍋、汁受け皿等からの熱放射で加熱される遮熱板を通気孔からの冷気で冷却でき、通気間隙で熱板からの熱伝導を断つと共に、通気間隙に冷気が流通することにより天枠も冷却できて天板の周縁の過熱が防止でき、長時間の連続加熱にも安全に使用できる。【選択図】図３
2004089683.tif 000002
【特許請求の範囲】
【請求項１】
熱源１にて加熱される熱板２を耐熱支持片３に載置支持し、熱源１の外方を遮熱板４で覆うと共にその外方をケーシング１６で覆って遮熱板４とケーシング１６の保護板９とで冷却室２２を形成し、天板５の開口の周縁６に係止される天枠７より延出された接続部７ａを耐熱支持片３の上部外側に、その上端が熱板２より隔離され、かつ冷却間隙１０を介在させて接合し、熱板２の周縁と天枠７との間に形成された通気間隙８と冷却間隙１０を連通させたことを特徴とする調理機器の過熱防止装置。
【請求項２】
五徳８０を保持する汁受け皿８１を耐熱支持片３に載置支持し、熱源１の外方を遮熱板４で覆うと共にその外方をケーシング１６で覆って遮熱板４とケーシング１６の保護板９とで冷却室２２を形成し、天板５の開口の周縁６に係止される天枠７より延出された接続部７ａを耐熱支持片３の上部外側に、その上端が汁受け皿８１より隔離され、かつ冷却間隙１０を介在させて接合し、汁受け皿８１の周縁と天枠７との間に形成された通気間隙８と冷却間隙１０を連通させたことを特徴とする調理機器の過熱防止装置。
【請求項３】
天枠７の天板５への係止部７ｂと耐熱支持片３への接続部７ａとを隔離遮断し、その遮断部分に耐熱シール材１５を充填したことを特徴とする請求項１または２に記載の調理機器の過熱防止装置。
【請求項４】
熱板２の下面に、耐熱支持片３よりも内方に位置する遮熱板１４を垂設したことを特徴とする請求項１または３に記載の調理機器の過熱防止装置。
【請求項５】
冷却間隙１０の上端部に上下に伸縮自在な断熱シール材１２を装着し、この断熱シール材１２の上端部を熱板２または汁受け皿８１の下面に弾着させたことを特徴とする請求項１乃至４に記載の調理機器の過熱防止装置。
【請求項６】
熱板２の周縁に設けられた立上り縁２ａのうち、少なくとも耐熱支持片３と平行な部位を中空として成ることを特徴とする請求項１、３乃至５に記載の調理機器の過熱防止装置。
【請求項７】
天板５の開口の周縁６と天枠７との間に冷却空間２８を形成し、その冷却空間２８の下部にその下端が、少なくとも保護板９の最上部に位置する通気孔１８近傍まで延びた整流板７ｃを設けて成ることを特徴とする請求項１乃至６に記載の調理機器の過熱防止装置。
【請求項８】
遮熱板４の下端に垂直片４ｂを設け、垂直片４ｂの下端をケーシング１６の底板１７に接合して成ることを特徴とする請求項１乃至７に記載の調理機器の過熱防止装置。
【発明の詳細な説明】
【０００１】
【発明の属する技術分野】本発明は、鉄板焼き、グリドル等に使用する鉄板や石板等の調理熱板及び鍋等の被加熱体を加熱するための調理機器の過熱防止装置に関するものである。
【０００２】
【従来の技術】従来からグリドルや鉄板焼きの鉄板や石板をテーブルの中央に刳り抜いた開口に据付け、周縁を食事スペースに使用するようにした形式のものが多用されている。しかしながら従来は天板開口に係止された天枠に鉄板や石板を直接載置するようにしていた。また、五徳に鍋等の被加熱体を載せて加熱する場合は、五徳を載せる汁受け皿の周縁を天枠または天板開口に直接または間接的に係止するようにしていたから、天板が可燃性の場合は、被加熱体が過熱されると防火上の問題があった。
【０００３】一般に鉄板は厚いものほど遠赤外線が多量に放射されお好み焼きや焼肉が芯まで美味しく焼けるとされ、中心部は２８０℃程度になり、周辺部も２００℃程度になる。そして一般に安全に使用するためには、可燃物であるテーブルが過熱されないことが求められるが、強制排気を併用しなければそれを達成することができないのが現状であって、装置全体が大型化し、高価にならざるを得ない欠点があった。
また、高温調理のためや、短時間で分厚い熱板を調理可能な高温に昇温させるために中心部が更に高温に達する高カロリーバーナーが採用されると、尚更テーブルの温度は下げにくくなるのが実情であった。これはまた、鍋料理に用いる場合も同様の傾向があった。
【０００４】また、これらの調理機器をテーブルなどにセットする時は、先ずテーブルの開口に天枠を係止させたケーシングを取りつけ、そのケーシングにガスバーナーなどの熱源をセットし、そして鉄板を被せることにより調製されるが、それぞれが規格もバラバラな別体で販売されているため、天板に組み込むに際しては、それぞれを購入したり作成したりして調達しなければならない上に、可燃物であるテーブルの耐火対策や断熱処理が必要となるが、従来は十分な防火対策が行えない欠点があった。
【０００５】
【発明が解決しようとする課題】本発明は、前述の状況に鑑みて完成されたもので、主として解決しようとするところは、強制排気を行うことなく簡単に過熱を防止して、防火上も安全な調理機器の過熱防止装置を提供する点にある。
【０００６】
【課題を解決するための手段】本発明の主たる特徴は、熱源１にて加熱される熱板２、または五徳８０を保持する汁受け皿８１を耐熱支持片３に載置支持し、熱源１の外方を遮熱板４で覆うと共にその外方をケーシング１６で覆って遮熱板４とケーシング１６の保護板９とで冷却室２２を形成し、天板５の開口の周縁６に係止される天枠７より延出された接続部７ａを耐熱支持片３の上部外側に、その上端が熱板２または汁受け皿８１より隔離され、かつ冷却間隙１０を介在させて接合し、熱板２または汁受け皿８１の周縁と天枠７との間に形成された通気間隙８と冷却間隙１０を連通させたことを特徴とするものである。
【０００７】
【発明の実施の形態】以下本発明を添付図面に基づき詳細に説明する。図１はテーブルタイプの装置全体を示すが、勿論座敷用にも適用できる。テーブルの天板５の中央の開口の周縁６に天枠７を介して鉄板や石板等の熱板２を設置し、その下方に配置された熱源１で熱板２を加熱してお好み焼きや鉄板焼き、焼肉その他の調理に使用するものである。熱板２を用いない場合は、耐熱支持片３に支持された汁受け皿８１に五徳８０を載置し、その五徳８０に土鍋などの任意の調理用被加熱体８２を加熱調理するタイプのものとすることが出来る。勿論、熱板を取り外して、使用切り替えが出来るようにしても構わない。熱源１はガス、炭火、電子加熱等任意に選定できる。
【０００８】図２は熱板２を外してその下方の構造の概略を示し、熱板２の下方に図示例ではガズバーナが熱源１として配置される。熱板２の長辺方向の下面は両端縁よりやや内方の部分が、鉄板のような金属、好ましくは陶板やスレート等の不燃材で形成された耐熱支持片３、３の上端に載置される。
【０００９】熱源１は図３のように、熱板２下方の箱状のケーシング１６内に収納される。このケーシング１６は底板１７とその両側に連出した保護板９を有し、熱板２の長手方向と平行な保護板９は下方ほどは互いに間隔が狭くなるように傾斜しており、その上端部９ａは天枠７より延出される接続部７ａと冷却間隙１０を介して重ね、そして耐熱支持片３の外側上端部に接合される。上端部９ａと耐熱支持片３との間にも同様の冷却間隙１０ａを介在させることができる（図１３参照）。３１、３１ａはそのスペーサである。
【００１０】この時その接続部７ａと上端部９ａはいずれも耐熱支持片３の上端よりやや低く設定されていて、上端はいずれも熱板２に接触しないようになっている。底板１７及び保護板９には必要に応じて通気孔１８が施される。通気孔１８は隣接部材との角部（例えば保護板９の天板部９ｂとそれに下折れして連続する垂下部との角部）において、隣接する二面に亘って施しておくと、隣接部材との接続の一部がこの通気孔１８を介して行われ、その分熱伝導が低減され、且つ冷気流通により熱遮断が向上する。
【００１１】底板１７上には通気孔２０を有する載置台１９が設置され、この載置台１９上に取付け金具２１にて熱源１が設置される。載置台１９の脚部は下記の遮熱板４の下端折り返しと重ならないように離しておくと、熱源１からの熱の伝導が分散して、局部集中を防ぐことができる。
【００１２】保護板９の内側は更にこれと同様に下方ほどは互いに間隔が狭くなるように傾斜した遮熱板４が装着され、遮熱板４と保護板９とにより囲まれる空間を冷却室２２としている。この遮熱板４の下部はケーシング１６の底板１７と接合一体化されており、上端部４ａは必要に応じて冷却間隙１１を介して耐熱支持片３と接続される。上端部４ａは耐熱支持片３より低くして、直接熱板２に接触しないようにするのが好ましい。
【００１３】尚、耐熱支持片３がスレート材等、脆弱な素材の場合は、金属製のカバー２５でその内面と上面を覆うようにできる。こうするとネジ締め時の素材の崩れが防止でき、また熱板２を載置する際の衝撃にも耐えられるようになる。
【００１４】天板５にはこれらの装置が投入される開口が設けられていて、その周縁６に天枠７が係止される。図示例では天枠７の内方部に放熱溝２４が連設され、この放熱溝２４の内側溝壁が接続部７ａとなり、冷却間隙１０を介して耐熱支持片３の外側上端部に連結される。放熱溝２４の外側溝部を構成する係止部７ｂには通気孔２６が施され、係止部７ｂの上部内面には凸部２７が施される。
【００１５】天枠７と熱板２の周縁との間にはこの凸部２７がスペーサとなって通気空間８が形成され、天枠７と周縁６との間にも必要に応じて冷却空間２８が形成される。また放熱溝２４の下部と保護板９の天板部９ｂとの間は通気間隙２３により隔離される。この通気間隙２３及び冷却空間２８を確保するために略Ｌ型のスペーサ３０が装着される。
【００１６】このスペーサ３０の立上り片３０ａは図１０のように略く字型をしていて、天板５の開口縁に冷却空間２８を確保して位置決めすると共に、弾接して寸法誤差を吸収できるようになっている。また冷却間隙１０、１１を形成するに当たっては、接続素材間にスペーサ３１、３２を介在させてボルト・ナットやタッピングネジで連結される。
【００１７】ここで、通気間隙２３を設けず、放熱溝２４の低部に天板部９ｂを密着させた場合は、冷却間隙１０を確保できないので、この時は図１４のように上端部９ａと耐熱支持片３との間に冷却間隙１０ａを確保し、冷却間隙１０ａを介して冷却室２２と通気間隙８を連通させればよい。またいずれの場合も天枠７と周縁６との間には耐熱ゴム等の耐熱シール材５９を全周に亘り介在させて天枠７への熱伝導の向上を図ることができる。
【００１８】図４は熱板２の短辺側の一方、前端板３３側の概略を示すもので、熱源１がガスの場合、そのコントロールユニット３４が熱源１の下方で、ケーシング１６の一方の下方端部の収納される。３５は操作摘み、３６はガス接続管、３７はコントロールユニット３４のハウジングで、通気孔３８が施され、必要に応じて凸部などで底板１７より浮かせて設置する。
【００１９】この前端板３３は上端部３３ｂが天枠７の下端部と接合される。そしてその接合部分も二重構造とされる。図示例では、別途水平片３９ａの両側にそれぞれ上向傾斜片３９ｂと下向傾斜片３９ｃを有する放熱ガイド板３９を採用し、その水平片３９ａを、上記前端板３３の操作摘み３５上方の水平部３３ａと接合される。水平部３３ａより立ち上がった上端部３３ｂは天枠７に接合され、上向傾斜片３９ｂと水平部３３ａ、上端部３３ｂ及び天枠７とで袋状の冷却空間４０が構成される。冷却空間４０は放熱ガイド板３９の熱源１寄りのスペース（熱排気の流通路）から隔離される。
【００２０】この冷却空間４０は、下部の水平部３３ａに施された冷却孔４１、上部の上向傾斜片３９ｂの上端と縁天枠７との間隙４４とが空気の出入り口となって矢印のような空気流を形成して、天枠７を空冷するものである。
【００２１】またこの熱板２の前端と天枠７との間隙４４の上方は冷却カバー４２で覆われる。冷却カバー４２には多数のスリット４３が施され、熱板２及び熱源１からの放射熱を、下向傾斜片３９ｃ、上向傾斜片３９ｂの傾斜で上昇案内させて矢印のような空気流を形成してスリット４３より放出するものである。
【００２２】図５は熱板２の短辺側の他方、後端板４８側の概略を示すもので、ケーシング１６には熱板２の後端の切欠４５に対応してその下方にダストボックス４６が出し入れ自在に収納される。４７は後端板４８の下部に施される開閉蓋、４９は蝶番である。後端板４８には必要に応じて通気孔５０が施される。ダストボックス４６には上方の切欠４５から落下した調理ゴミが溜まるので、適宜開閉蓋４７を開いてケーシング１６から出してゴミを捨てることができる。ダストボックス４６は油かすなどが落下収納されて熱くなるので、底板１７の凸部により浮かせて保持させておくと、底板１７への熱伝導が低減する。
【００２３】この後端板４８の上端部は天枠７の下端部と接合され、その接合部分近傍では、熱板２の後端と天枠７との間に両端が耐熱支持片３に支持されて冷却カバー５１が覆設される。冷却カバー５１には多数のスリット５２が施される。また耐熱支持片３の後端には略垂直な遮熱カバー５３が装着され、熱板２及び熱源１からの放射熱を遮蔽し案内させて図１２の矢印のような空気流を形成してスリット５２より放出すると共に、遮熱カバー５３と天枠７との間の間隙２９には通気孔５０から吸気された冷気が流入して、冷却作用を行うものである。
【００２４】図６は冷却カバー４２、５１の一例を示すもので、その幅は、前後で別途に設定しても良いし、同一にしても良い。また、その両端に仕切板６０、７０を施しておくと、耐熱支持片３の内方で熱板２下面の排気部１４ａより流出した熱排気は放熱ガイド板３９又は遮熱カバー５３上端で仕切られて矢印Ａ１から矢印Ａ２へと排気される。放熱溝２４を流れる冷気は矢印Ｂ１、Ｂ２と流れ、これらは仕切板６０又は７０により隔離され、熱気はスムーズに排気されて、冷気の流れに漏れ出てその冷却作用を損なうことがない。
【００２５】熱板２の下面には、図７のように遮熱板１４が施される。これは熱板２下面中央調理部分に対応して熱溜まりを形成して、熱効率を上昇させると共に、熱気の周辺への急激な拡散を防止するものである。また、遮熱板１４の短辺側を低くして排気部１４ａとし、長辺側の方が短辺側よりも深くなっているのは、排気部１４ａよりの排気をスムーズに行わせ、併せて熱溜まりの熱の長辺側（食事客が座る側）への流出を減少させるためである。
【００２６】図８は天板５の周縁６に係止する天枠７と、耐熱支持片３への接合部分とを任意の部分で分離したもので、図示例では天枠７の係止部７ｂに係止爪５４を設け、放熱溝２４の外側片５５のフック部５６を係止爪５４に係止させる。この時、係止爪５４とフック部５６との間にシリコンゴム等の耐熱シール材１５を介在させる。この外側片５５にも必要に応じて適宜通気孔５７を施すことができる。
【００２７】図９は熱板２を石板等の熱で歪みを生じやすい素材で構成した場合に適するもので、耐熱支持片３の上端両側の内、少なくとも一方の冷却間隙１０に、好ましくは他方の冷却間隙１１の上部にも、伸縮自在な断熱シール材１２、１３を装着し、その上端を熱板２下面に密着させてある。断熱シール材１２、１３としては、耐熱性、断熱性に優れたゴム状の弾性を有する筒状又は棒状の素材が用いられる。クロスやコードで補強されたものが好ましい。
【００２８】これにより熱板２が熱歪みで変形し部分的に耐熱支持片３より浮き上がっても断熱シール材１２、１３がその変形に追従し密着するため、気密性を維持できる。この場合、冷却間隙１０、１１の上端が閉塞されるので、必要に応じて接続部７ａ、上端部４ａの適所にバイパス１０ｂ、１１ｂを施して空気の流通を確保する。
【００２９】また、上記機構は、ケーシング１６の周縁に天枠７を接合し、ケーシング１６内に熱源１を装着してユニット化しておくと、天板５の開口に天枠７を係止させるだけで、天板５への装着が容易になる。
【００３０】上記は熱板タイプのものを説明したが、以下、鍋タイプのものを説明する。図１５は熱板２に代えて、鍋やヤカン、殊に土鍋やおでん鍋のように被加熱体８２を加熱して調理しながら食事に供するのに好適なタイプを示す。図では汁受け皿８１が耐熱支持片３に載置支持され、汁受け皿８１に載せられた五徳８０に被加熱体８２の底が保持されて加熱調理に供される。ここで熱源１は汁受け皿８１の中央孔から被加熱体８２を加熱するものであり、専用のものを選定することが出来る。しかし熱板２の加熱と共用する場合は、切替機構を介して熱板２の加熱は全面を、それ以外の被加熱体８２の場合は中央部だけ加熱できるようにすればよい。尚、被加熱体８２の底周辺が天枠７や周縁６に近接しすぎる時は、五徳８０の高さが十分高いものを用い、被加熱体８２の熱が天板５に及ばないようにする。
【００３１】図１６は上面から見た状態を示すもので、操作摘み３５を上面に配置すると操作し易くなる。また、非使用時は、図１７のように冷却カバー５１及び操作摘み３５も併せて熱源１、汁受け皿８１と共にその上方を天蓋８３で覆い、テーブルの天板全面を使用することが出来る。
【００３２】図１８は熱板２の改良された例を示し、熱板２の上面周縁の立上り縁２ａの一部を中空状に形成してある。図の立上り縁２ａは、少なくとも耐熱支持片３と平行な長辺素材を中空としてある。立上り縁２ａには適所に通気孔を施してもよい。立上り縁２ａの長辺を中空としたのは、短辺側は、冷却カバー５１のスリットからの空気の流通で効率よく冷却されるが、長辺側は、冷却空気の移動が短辺側よりも少ないので、中空とすることにより、パイプ内の空気の流通により冷却を促進させるためである。勿論短辺もパイプ材で形成しても良い。
【００３３】尚、熱板２裏面の遮滅板１４は、熱気の漏れの防止以外に、熱歪による熱板２の変形を防止するリブ効果を有する。また、図１８のように切欠４５の直下に排気部１４ａを構成する立下り１４ｂが垂下されていると、直下のダストボックス４６に焼きくずを落とし込む際、焼きくずに含まれる油分が熱板２裏面の中央部に回り込むことが防止でき、油分が燃えることによる火災の発生が抑えられて防火性の向上を図ることが出来る。
【００３４】また図１９のように適宜間隔の冷却空間２８に上方より整流板７ｃを延設することが出来る。図１９では、天枠７上片とそれに連なる垂下部分に整流板７ｃの上部が接合され、冷却空間２８の半ばから図でその空間を左右に分けるように垂下する。その間隔は任意に設定できるが、３：７から７：３くらいの範囲が好ましい。その下端は、少なくとも近接する保護板９の最上部の通気孔１８の近傍付近に達するように、好ましく更にその下方まで延設されて、その最上部の通気孔１８を充分にカバーするだけ下まで延設される。
【００３５】更に、図１９において、遮蔽板４と底板１７の接合が改良された例が示され、遮蔽板４の下端部が一旦略水平に曲げられ、その先端が更に下方に曲げられて垂下片４ｂが形成されて、垂下片４ｂがいわば線接触により底板１７と接合される。
【００３６】尚、本発明に係る装置は、通常、中央部が刳り抜かれたテーブルが別途用意され、それ以外のバーナー、ケーシング及び熱板等を本体セットとして供給して、テーブルにはめ込み設置されるものである。したがって本体セットを搬送する際、天枠７及びそ周辺の整流板７ｃ、板金小物部分が変形すると、現場でテーブルにすっきりと収納設置が出来なかったり、各種機能が充分に発揮できない惧れがある。したがって、これらを防止する図２１のような段ボールや発泡素材の適宜クッション８４を介在させて梱包８５に供するのが望ましい。
【００３７】
【発明の作用】本発明は、熱板タイプのものにおいて、熱板２は熱源１により加熱されるもので、例えばガス加熱の場合、中央部を２６０℃まで上昇させると、周辺部でも２００℃前後まで上昇する。この時、熱板２の下方は遮熱板１４により、熱溜まりができて、調理する中央部の熱効率がよくなる。この熱板２の下方の熱気は遮熱板４により遮断されるが、この遮熱板４も熱源１の放熱及び熱板２の輻射熱により１００℃以上に過熱される。しかしながら、耐熱支持片３と遮熱板４の上端部４ａとの間には冷却間隙１１が介在するので、熱板２からの熱伝導は少ない。
【００３８】また、図１０のように、遮熱板４外方の冷却室２２へは下方の通気孔１８を通して保護板９から外気が吸入されて上方の通気孔１８より排出され遮熱板４が冷却される。また、通気間隙２３―冷却間隙１０―通気間隙８、更に通気孔２６−通気間隙８と冷気が流れる。これにより、天板５の周縁６の温度は１００℃以下に押さえられる。
【００３９】図１４の場合は、図１０の通気間隙２３―冷却間隙１０―通気間隙８の代わりに、冷却室２２―冷却間隙１０ａ―通気間隙８へと冷気が流れる。これにより、天板５の周縁６の温度は１００℃以下に押さえられる。この場合は冷却間隙１０ａの幅を広くしたり、耐熱シール材５９を併用したりすることができる。
【００４０】図８のように天枠７と耐熱支持片３との接続部分との間に遮断部分を設け、その遮断部分に耐熱シール材１５を介在させておくと、熱板２からの熱輻射及び耐熱支持片３からの熱伝導で外側片５５が昇温しても、耐熱シール材１５で一旦立ち切られ、天枠７の昇温はより一層低減する。
【００４１】図９のように冷却間隙１０（１１）上端に装着した断熱シール材１２（１３）は自由に変形するもので、熱板２が歪んで変形してもその上端が常に熱板２下面に密着してシールし、熱板２下面中央の熱気を耐熱支持片３上端より周辺へ漏らすことがない。これも天板５の周縁６の昇温の抑制に寄与する。
【００４２】他方、熱板２の短辺側の一方の前端板３３の上部は、図１１のように熱板２の端部と天枠７との間隙４４を放熱ガイド板３９で二分し、放熱ガイド板３９と熱板２との間は矢印のように熱気の排出通路となり、また放熱ガイド板３９と天枠７との間は矢印のように冷却孔４１より冷気が吸入されて冷却されるもので、熱排気の天枠７への影響が冷却効果により低減される。
【００４３】また後端板４８の端部付近の間隙２９は、図１２のように遮熱カバー５３により二分されていて遮熱カバー５３と熱板２との間は矢印のように熱気の排出通路となり、また遮熱カバー５３と天枠７との間は矢印のように通気孔５０より冷気が吸入されて冷却されるもので、熱排気の天枠７への影響が冷却効果により低減される。
【００４４】尚、冷却カバー４２、５１の両端部寄りに、耐熱支持片３の直上に位置する仕切板６０、７０を垂下しておくと、熱源１側からの熱気が冷却カバー４２、５１を通じて冷気循環経路に逆流することを防止し、互いに干渉せず、食事客が座る天板５の長辺側への熱気漏れを防止できる。
【００４５】また図１３のように冷却間隙１０ａを追加しておくと、冷却室２２から冷却間隙１０ａ―通気間隙８の空気の流通が追加されるため、遮熱板４側の冷却間隙１１がなくても最終的に天枠７が十分に冷却される。
【００４６】また上記のように上方より整流板７ｃを延設した場合は、冷却室２２通過してその上端の通気孔１８より出た冷却上昇気流は、そのまま拡散失速せず、大半が図２０の矢印のように整流板７ｃにより煙突効果が生じて上昇気流となり、一部は通気間隙２３に流入するが、残りは更に上方の通気孔２６に導入されて放熱溝２４に入る。即ち、下方より放熱溝２４内に空気が強制的に押し込まれ、放熱溝２４内の熱気の通気間隙８からの上方への流動並びに図で前後（即ち冷却口４２、５１から）の流出が活発になって冷却を促進するのである。
【００４７】更に、図１５に示す鍋やヤカン、殊に土鍋やおでん鍋のように被加熱体８２を加熱して調理しながら食事に供するタイプにおいても、熱板２に関するものを除き、総て上記と同様に作用する。
【００４８】熱板２の上面周縁の立上り縁２ａの一部を中空状に形成した場合は、中空部内の空気の流通により冷却を促進する。
【００４９】
【発明の効果】本発明にあっては上述のように、熱源１にて加熱される熱板２を耐熱支持片３に載置支持したから、第１に加熱された熱板２の熱伝導を耐熱支持片３で低減させることができ、熱源１の外方を遮熱板４で覆うと共にその外方をケーシング１６で覆って遮熱板４とケーシング１６の保護板９とで冷却室２２を形成したから、第２に熱源１及び熱板２の熱は遮熱板４と冷却室２２とで多重に冷却される。
【００５０】しかも天板５の開口の周縁６に係止される天枠７より延出された接続部７ａを耐熱支持片３の上部外側に、熱板２下面より隔離したから、第３に天枠の接続部と耐熱支持片とを熱的に縁起りでき、かつ相互に冷却間隙１０を介在させて接合したから、第４にこの冷却間隙１０にて耐熱支持片３からの天枠７への熱伝導も縁切された状態となる。加えて熱板２の周縁と天枠７との間に通気間隙８を形成し、通気空間８を冷却間隙１０により連通させたことにより、第５に上記のように熱伝導が縁切りされて昇温が抑えられた天枠７付近の空気を外冷気の循環にて更に冷却して、天板５の周縁６の昇温を十分に抑制できる利点がある。
【００５１】また、天枠７又はその延長部分と耐熱支持片３、遮熱板４の構成部材と耐熱支持片３との接合部分に、冷却間隙１０を介在させることにより、耐熱支持片３からの直接の熱伝導が更に抑制されて、ケーシング１６の過熱が更に低減される。
【００５２】天枠７と耐熱支持片３との連結部分の中間適所に遮断された部分を設け、その遮断部分に耐熱シール材１５を介在させた場合には、耐熱支持片３から連結部分に漏れて伝導した熱が連結部分の遮断部分でカットされ、また耐熱シール材１５をその遮断部分に充填させておくことにより、遮断部分の密封性を保ち、異物の混入を防止すると共にがたつきも防止できる。この構造は単独で十分に過熱防止の機能をすることができる。
【００５３】更に、冷却間隙１０の上端部に上下に伸縮自在な断熱シール材１２を装着すると共にこの断熱シール材１２の上端部を熱板の下面に弾着させておくと、石材のように表面に凹凸が多くて耐熱支持片３と密着性が悪い上に、熱歪みで変形しやすい熱板２を採用した場合でも、常に耐熱支持片３上端との気密性が確保され、耐熱支持片３上端との間から最も高温に属する熱気が噴出することを防止し、これにより天板５の周縁６の過熱を更に低減させることができると共に燃焼排気路の確保により熱源１の燃焼効率及び熱板２の加熱効率も向上する。
【００５４】また、熱板２の下面に、耐熱支持片３よりも内方に位置する遮熱板４を設けた場合には、熱板２中央部の最も高温に達した熱気をプールさせ、一気に周辺に拡散して周辺を過熱させることを防止すると共に、熱板２の加熱効率を上昇させ、熱効率の向上、省エネルギー化を図ることができる。また、たとえその外方の耐熱支持片３の熱板２との接触部分に隙間が生じても内方に排気路が確保されるために生じたその隙間からの熱排気の噴出が防止できる。
【００５５】更に、遮熱板４の外側を、下方ほど内側に近づく傾きを有すると共に通気孔１８を有する保護板９で覆っておくと、垂直な側板で囲まれるものに比して、天板５の長辺側に座った客の膝辺りにゆとりができ、また熱気に依る嫌悪感も低減できて快適に使用できるものである。
【００５６】また、熱源１が装着された遮熱板４の上部周辺に天枠７を接合してユニットとしておけば、天板５に開口を有するテーブルなどを用意し、これにユニットの天枠７を係止させて装着するだけで、テーブルなどへの取付け、ハウジングの設定、熱源１の設定及び断熱・耐火まで一括して調調製できるものであり、従来のような現場での煩雑な諸調整が一切不用となり利便性が向上する利点がある。
【００５７】更に熱板２の周縁に中空状の立上り縁２ａを設けておけば、立上り縁２ａが遮熱効果を発揮して、熱板２高熱が天枠７、天板５の周縁６への熱拡散が抑制される。この中空の立上り縁２ａにより熱板２の中心温度が４００℃程度であれば、概ね１０℃程度温度を下げることが出来る。
【００５８】また、冷却空間２８の下部にその下端が、少なくとも保護板９の最上部に位置する通気孔１８近傍まで延びた整流板７ｃを設けておくと、冷却室２２の上端の通気孔１８を抜けた空気が通気孔２６を経て通気間隙８に流通することになり、この通気間隙８から上方及び前後への空気の流動により天枠７を冷却することが出来る。
【００５９】即ち、整流板７ｃがない場合は、冷却室２２を抜けた熱気はそのまま失速、拡散してしまい、通気間隙８の流通には関与しなかったが、整流板７ｃを設けたことにより、冷却室２２を抜けた熱気が上昇気流となって放熱溝２４に押し込まれ、通気間隙８の空気の上昇並びに前後へ流動する動きを促進し、その空気の流動により天枠７の冷却を促進することになるのである。この整流板７ｃにより熱板２の中心温度が４００℃程度であれば、概ね１５℃程度温度を下げることが出来る。
【００６０】したがって、立上り縁２ａと整流板７ｃを併せて採用すると、熱板２の中心部が４００℃に達するハイカロリーバーナーを使用する場合でも、可燃物である天板５の周縁６の昇温を充分に１００℃未満に抑制できて、火力の大きな熱源で自在に且つ迅速に調理が出来る上に、防火上の安全性を確保することが出来る。そして、熱板２に代えて汁受け皿８２を耐熱支持片３に載置し、五徳８０に保持された鍋などの被加熱体８２を過熱する場合に、たとえ被加熱体８２が空焚き状態になっても、熱板２の場合と同様に、被加熱体８２から天枠７へ伝道した熱は、空気の流動により放散され、可燃物の過熱が防止されて、安全性が確保される。
【００６１】また、遮熱板４の下端に垂直片４ｂを設け、垂直片４ｂの下端を底板１７に接合しておくと、遮熱板４から底板１７への熱伝導が面から線接触となり、底板１７の帯状の高熱部位の発生を無くすことが出来、これにより、底板１７の熱板２からの深さ寸法を、例えば１７５ミリから１５０ミリ程度に抑えることが出来るものであって、脚の長い現代人の体型にマッチした調理熱板を提供できるものである。
【００６２】そして上記の諸効果は、熱板２自体に関するものを除き、鍋等の加熱タイプにおいても同様にそうするもので、高温での長時間加熱、或いは万が一空焚き状態になり被加熱体８２が過熱状態になっても、可燃物であるテーブルへの熱伝導を抑制して過熱を防止し、安全性を確保することが出来る。
【００６３】以下に、財団法人日本ガス機器検査協会で実施された温度上昇試験記録書（表１）を提示する。
【表１】
2004089683.tif 000003
【図面の簡単な説明】
【図１】本発明の一実施例の斜視図。
【図２】同上の熱板を外した平面図。
【図３】第２図のＡ―Ａ断面図。
【図４】第２図のＢ−Ｂ断面図。
【図５】第２図のＣ−Ｃ断面図。
【図６】同上の冷却カバーの斜視図。
【図７】同上の熱板の下面側の斜視図。
【図８】本発明の他の実施例の第２図のＡ―Ａ断面図。
【図９】本発明の更に他の実施例の第２図のＡ―Ａ断面図。
【図１０】第３図の要部拡大図。
【図１１】第４図の要部拡大図。
【図１２】第５図の要部拡大図。
【図１３】第３図の要部の他の実施例の拡大図。
【図１４】第３図の要部の更に他の実施例の拡大図。
【図１５】本発明の鍋等の被加熱体加熱タイプの実施例の要部断面図。
【図１６】同上の平面図。
【図１７】同上の一部省略した縦断面図。
【図１８】本発明の立上り縁の改良例の要部斜視図。
【図１９】本発明の整流板を設けた実施例の要部断面図。
【図２０】同上の作用説明図。
【図２１】本発明装置の梱包状態の一例の要部断面図。
【符号の説明】
１　熱源
２　熱板
２ａ　立上り縁
３　耐熱支持片
４　遮熱板
４ａ　上端部
４ｂ　垂直片
５　天板
６　周縁
７　天枠
７ａ　接続部
７ｂ　係止部
７ｃ　整流板
８　通気間隙
９　保護板
９ａ　上端部
９ｂ　天板部
１０　冷却間隙
１０ａ　冷却間隙
１１　冷却間隙
１２　断熱シール材
１３　断熱シール材
１４　遮熱板
１４ａ　排気部
１５　耐熱シール材
１６　ケーシング
１７　底板
１８　通気孔
２２　冷却室
２３　通気間隙
２８　冷却空間
８０　五徳
８１　汁受け皿
８２　被加熱体
【図１】
2004089683.tif 000004
【図２】
2004089683.tif 000005
【図３】
2004089683.tif 000006
【図４】
2004089683.tif 000007
【図５】
2004089683.tif 000008
【図６】
2004089683.tif 000009
【図７】
2004089683.tif 000010
【図８】
2004089683.tif 000011
【図９】
2004089683.tif 000012
【図１０】
2004089683.tif 000013
【図１１】
2004089683.tif 000014
【図１２】
2004089683.tif 000015
【図１３】
2004089683.tif 000016
【図１４】
2004089683.tif 000017
【図１５】
2004089683.tif 000018
【図１６】
2004089683.tif 000019
【図１７】
2004089683.tif 000020
【図１８】
2004089683.tif 000021
【図１９】
2004089683.tif 000022
【図２０】
2004089683.tif 000023
【図２１】
2004089683.tif 000024